(57)【要約】      （修正有）【課題】様々な混合廃棄物の形態に適した選別システムを自在に構成することができ、構造がシンプルでメンテナンスも容易な風力選別装置を提供する。【解決手段】移送面１８上に載置された混合廃棄物を搬送する第１コンベア１６と、多数の通気孔を有する無端ベルト２４の下側面２４ａが第１コンベア１６の移送面１８の上方を横切るように対面して配置された第２コンベア２０と、無端ベルト２４の下側面２４ａと上側面２４ｂとの間に設けられる吸引用フード２８と、第１吹出ノズル３２を備える。吸引用フード２８は、移送面１８上に在る軽量の廃棄物Ｗ１をエアー吸引して下側面２４ａに吸着させる。第１吹出ノズル３２は、下側面２４ａに吸着した廃棄物Ｗ１を強制的に脱落させるエアーを吹き出す。【選択図】図２
0003161884.tif 000002
【実用新案登録請求の範囲】
【請求項１】
移送面上に載置された混合廃棄物を搬送する第１コンベアと、
多数の通気孔を有する無端ベルトの上側面と下側面とが往復移動し、その下側面が前記第１コンベアの移送面の上方を横切るように対面して配置された第２コンベアと、
前記第２コンベアの前記下側面と前記上側面との間に設けられ、前記第１コンベアの前記移送面上に在る特定の廃棄物をエアー吸引して前記下側面に吸着させるエアー吸引装置と、
前記第２コンベアの前記下側面と前記上側面との間に設けられ、前記下側面に吸着した前記廃棄物を強制的に脱落させるエアーを吹き出す第１エアー吹出装置とを備えたことを特徴とする風力選別装置。
【請求項２】
前記第１コンベアの前記移送面近傍に設けられ、前記移送面上を移動する特定の廃棄物を前記第２コンベアの下側面に向けて浮揚させるエアーを吹き出す第２エアー吹出装置を備えた請求項１記載の風力選別装置。
【考案の詳細な説明】
【技術分野】
【０００１】
この考案は、建築廃材、廃プラスッチック、木や紙類などの混合廃棄物をリサイクル又は廃棄の処理をするために選別を行う風力選別装置に関する。
【背景技術】
【０００２】
従来、この種の混合廃棄物の選別装置として、例えば、特許文献１に開示されているように、所定のふるい目を有する傾斜スクリーンに混合廃棄物を投入して一次選別する第１の選別手段と、傾斜スクリーンの排出口部分を上方からエアー吸引し、傾斜スクリーンに残った廃棄物に含まれる軽量な廃棄物をメッシュコンベアの回巻ベルトの下面側に吸着させて移送する第２の選別手段と、傾斜スクリーンの排出口部分の下方からエアーを吹き出すことによって軽量な廃棄物を風力で浮揚させ、第２の選別手段がエアー吸引するのを補助する空気吹き出し手段とを備えた吸引風力式選別装置がある。また、吸引風力式選別装置は、メッシュコンベアで移送された廃棄物を回巻ベルトから分離させるため、第２の選別手段に風力調整部を設けて吸引力を徐々に弱める構成や、ロールブラシ状の軽材料分離部材で廃棄物を掻き取る構成を備えている。
【先行技術文献】
【特許文献】
【０００３】
【特許文献１】特開２００９−７８２６５号公報
【考案の概要】
【考案が解決しようとする課題】
【０００４】
特許文献１の吸引風力式選別装置は、第１及び第２の選別手段が固定的に上下に配置され、構成が複雑で汎用性に欠ける。例えば、当該装置に投入される混合廃棄物の主廃材が重い場合は、第１の選別手段を非常に強固に設けなければならないが、そうすると、主廃材が軽い混合廃棄物を選別する場合には過剰な構造となる。また、例えば第１及び第２の選別作業の前後に第３、第４の選別作業が行われるように選別システムを拡張したいとき、この吸引風力式選別装置を複数台用意しても実現できない可能性がある。
【０００５】
また、選別された複数種類の廃棄物の保管場所が離れている場合、各廃棄物の選別作業は各廃棄物の保管場所（又は、その近く）で行う方が都合がよい。しかし、この吸引風力式選別装置の構成では自在に対応することができない。
【０００６】
また、メッシュコンベアで移送された廃棄物を回巻ベルトから分離させる働きをする風力調整部は、廃棄物の自重が軽い場合には効果が小さく、また、ロールブラシ状の形材料分離部材においても、ブラシ部分が変形したり摩耗したりするのでメンテナンスに手間が掛かり面倒である。
【０００７】
本考案は、上記背景技術に鑑みて成されたもので、様々な混合廃棄物の形態に適した選別システムを自在に構成することができ、構造がシンプルでメンテナンスも容易な風力選別装置を提供することを目的とする。
【課題を解決するための手段】
【０００８】
この考案は、移送面上に載置された混合廃棄物を搬送する第１コンベアと、多数の通気孔を有する無端ベルトの上側面と下側面とが往復移動し、その下側面が前記第１コンベアの移送面の上方を横切るように対面して配置された第２コンベアと、前記第２コンベアの前記下側面と前記上側面との間に設けられ、前記第１コンベアの前記移送面上に在る特定の廃棄物をエアー吸引して前記下側面に吸着させるエアー吸引装置と、前記第２コンベアの前記下側面と前記上側面との間に設けられ、前記下側面に吸着した前記廃棄物を強制的に脱落させるエアーを吹き出す第１エアー吹出装置とを備えた風力選別装置である。
【０００９】
さらに、前記第１コンベアの前記移送面近傍に設けられ、前記移送面上を移動する特定の廃棄物を前記第２コンベアの下側面に向けて浮揚させるエアーを吹き出す第２エアー吹出装置を備えている。
【考案の効果】
【００１０】
本考案の風力選別装置は、第１コンベア上の混合廃棄物に含まれる所定の廃棄物を選択的に第２コンベアに吸着させ効率よく回収することができ、その機能をシンプルな構成で実現したものである。また、各コンベアの長さや設置方向を調整することによって、混合廃棄物の投入場所から選別した廃棄物の個別のストックヤードまで、その配置や距離によらず、廃棄物を自在に移送することができる。
【００１１】
さらに、第１エアー吹出装置の動作によって、第２コンベアで移送した廃棄物を無端ベルトから確実に脱落させることができる。また、第１コンベアの移送面近傍に第２エアー吹出装置を設け、選別回収する廃棄物を第２コンベアの下面側に向けて浮揚させることによって、エアー吸引装置の動作を補助し、確実に選別回収を行うことができる。しかも、廃棄物に接触しないで動作するので、ほとんど摩耗せずメンテナンスが容易である。
【００１２】
また、第１コンベア１台に対して複数台の第２コンベア等を設けたり、第２コンベアが移送して脱落した廃棄物を新たな第１コンベアで受け、さらに新たな第２コンベア等を設けたりしてもよい。このように各装置の組み合わせを変更・拡張することによって、様々な混合廃棄物の態様に合わせ、最適な選別システムを自在に構成することができる。
【図面の簡単な説明】
【００１３】
【図１】この考案の風力選別装置の一実施形態の外観を示す平面図（ａ）、正面図（ｂ）である。
【図２】この実施形態のＡ−Ａ断面図である。
【図３】図２の第２吹出ノズルの部分を示す拡大図である。
【考案を実施するための形態】
【００１４】
以下、この発明の一実施形態の風力選別装置１０について、図面に基づいて説明する。風力選別装置１０は、複数種類の廃材が混じった混合廃棄物Ｗが投入され、比較的軽いプラスチックや紙類などの廃棄物Ｗ１を選別してストックヤード１２に回収し、その他の比較的重い廃棄物Ｗ２をストックヤード１４に回収する装置である。
【００１５】
風力選別装置１０は、図１に示すように、移送方向に細長い移送面１８を有する水平搬送用の第１コンベア１６を備えている。第１コンベア１６は、ここでは一般的なベルトコンベア等であり、図１における右側の端部が混合廃棄物Ｗが投入される搬入端１８ａで、左側の端部が移送された廃棄物Ｗ２を排出する排出端１８ｂである。
【００１６】
第１コンベアの移送方向の中央やや排出端１８ｂ寄りの位置に、第２コンベア２０が設けられている。第２コンベア２０は、図２、図３に示すように、一対のスプロケット２２ａ，２２ｂの間に、多数の通気孔のある移送面を形成する無端ベルト２４が張り渡され、スプロケット２２ａ，２２ｂの回転により駆動される。ここでは、無端ベルト２４として、金属網や細い金属部材等を用いて網目状の移送面が形成されたメッシュコンベア用ベルトが使用されている。第２コンベア２０は、第１コンベア１６の上方に第１コンベア１６の移送方向と交差するように配置され、第１コンベア１６の移送面１８と第２コンベア２０の無端ベルト２４の下側面２４ａとが上下に対面している。下側面２４ａの始端であるスプロケット２２ａは、第１コンベアの幅方向の一端よりも僅かに外側の位置に配置され、下側面２４ａの終端であるスプロケット２２ｂは、第１コンベアの幅方向の他の一端から十分に外側に出た位置に配置されている。
【００１７】
第２コンベア２０の側方には、モータ２６ａで駆動される送風機２６が設けられている。送風機２６は、後述する複数のダクト３０，３４，３８内にエアーを循環させることによって、エアー吸引又はエアー吹き出しの風力源になる。なお、図中に示すモータ２６ａ及び送風機２６は、ライン構成上、第１コンベア１６及び第２コンベア２０から少し離れて設置される場合もある。
【００１８】
第２コンベア２０の下側面２４ａと上側面２４ｂとの間には、第１コンベア１６の移送面１８上にある混合廃棄物Ｗをエアー吸引し、下側面２４ａに廃棄物Ｗ１を吸着させるためのエアー吸引装置が設けられている。エアー吸引装置は、図２、図３に示すように、ここでは、下側面２４ａ側が開口した略矩形の箱体である吸引用フード２８を有しており、エアー配管用のダクト３０を介して送風機２６に接続されている。吸引用フード２８は、幅が下側面２４ａとほぼ等しく、長さが下側面２４ａの長さの３／４程度で、下側面２４ａの始端であるスプロケット２２ａ寄りの領域を広く覆っている。ダクト３０は、吸引用フード２８の側面に開口した吸引口２８ａに連結され、吸引用フード２８内の空気が送風機２６によって吸引される構造になっている。エアー吸引の強さは、図示しない風力調節手段によって、送風機２６の出力調節により制御することができる。
【００１９】
第２コンベア２０の下側面２４ａの終端であるスプロケット２２ｂと吸引用フード２８との間の位置に、下側面２４ａに吸着した廃棄物Ｗ１を強制的に脱落させるエアーを吹き出す第１エアー吹出装置が設けられている。第１エアー吹出装置は、図２、図３に示すように、ここでは、下側２４ａに向けて下向きにエアーを吹き出す第１吹出ノズル３２であり、エアー配管用のダクト３４を介して送風機２６に接続されている。第１吹出ノズル３２の吹出口は、下側面２４ａの幅方向に広くエアーを吹き出すように開口している。ダクト３４は、第１吹出ノズル３２の後端部に連結され、送風機２６から第１吹出ノズル３２に向けてエアーが送られる構造になっている。エアー吹き出しの強さは、図示しない風力調節手段によって調節することができる。
【００２０】
第１コンベア１６の近傍に、移送面１８上を移動する廃棄物Ｗ１を下面側２４に向けて浮揚させるためのエアーを供給する一対の第２エアー吹出装置を備えている。第２エアー吹出装置は、図２、図３に示すように、ここでは、移送面１８の左右側方に配置され、下側２４ａに向けてエアーを吹き出す一対の第２吹出ノズル３６であり、エアー配管用のダクト３８を介して送風機２６に接続されている。ダクト３８は第２吹出ノズル３６の後端部に連結され、送風機２６から第２吹出ノズル３６に向けてエアーが送られる構造になっている。エアー吹き出しの方向及び強さは、図示しない調節手段によって調節することができる。
【００２１】
風力選別装置１０の設置場所の床下には、図１に示すように、廃棄物Ｗ１，Ｗ２をそれぞれ回収するストックヤード１２，１４が設けられており、第１吹出ノズル３２の下方にストックヤード１２への投入口１２ａが開口し、第１コンベア１６の排出端１８ｂの下方にストックヤード１４への投入口１４ａが開口している。
【００２２】
次に、風力選別装置１０の動作について説明する。まず、一般の工場や建設現場などで発生した混合廃棄物Ｗが第１コンベア１６の搬入端１８ａに投入される。混合廃棄物Ｗは
移送面１８上を移動し、第２コンベア２０の下方を通過しようとする。
【００２３】
すると、混合廃棄物Ｗ全体に、吸引用フード２８内に引き寄せようとする所定強さのエアー吸引力が作用し、混合廃棄物Ｗに含まれる軽量のプラスチックや紙類などの廃棄物Ｗ１だけが浮揚し、第２コンベア２０の下側面２４ａに吸着する。このとき、第１コンベアの移送面１８は吸引用フード２８によって幅方向に覆われているものの、移送面１８の幅方向の端部分に在る廃棄物Ｗ１に対する吸引力が若干弱くなっている。しかし、第１コンベア１６の左右側方の第２吹出ノズル３６が吹き出すエアーを受け、端部分に在る廃棄物Ｗ１も良好に浮揚し、第２コンベア２０の下側面２４ａに吸着することができる。
【００２４】
第２コンベア２０の無端ベルト２４の下側面２４ａに吸着した廃棄物Ｗ１は、スプロケット２２ｂの側に移送される。廃棄物Ｗ１が吸引用フード２８の外側の位置にくると、エアー吸引力がなくなり、今度は第１吹出ノズル３２から下向きに吹き出すエアーを受けるので、廃棄物Ｗ１が下側面２４ａから強制的に分離させられ、下向きに脱落する。そして、脱落した廃棄物Ｗ１は、投入口１２ａからストックヤード１２内に回収される。
【００２５】
一方、比較的重い廃棄物Ｗ２は、吸引用フード２８からのエアー吸引力を受けても浮揚しないで第１コンベア１６の移送面１８上に残り、そのまま搬出端１８ｂに向かって移送される。そして、搬出端１８ｂに達して下方に落下した廃棄物Ｗ２は、投入口１４ａからストックヤード１４内に回収される。
【００２６】
以上説明したように、風力選別装置１０は、第１コンベア１６上の混合廃棄物Ｗに含まれる軽量の廃棄物Ｗ１を選択的に第２コンベア２０に吸着させ効率よく回収することができ、その機能をシンプルな構成で実現することができる。また、第１及び第２コンベア１６，２０の長さや設置方向を調整すれば、廃棄物Ｗ１，Ｗ２の保管場所であるストックヤードが変更になっても、容易に対応することができる。また、第１吹出ノズル３２の動作によって、第２コンベア２０で移送した廃棄物Ｗ１を下側面２４ａから確実に脱落させることができ、廃棄物Ｗ１が無端ベルト２４に残留しない。また、第１コンベア１６の左右側方に第２吹出ノズル３６を設け、廃棄物Ｗ１を第２コンベア２０の下面側２４ａに向けて浮揚させることによって、吸引用フード２８内に向かうエアー吸引を補助し、確実に廃棄物Ｗ１を選別回収することができる。
【００２７】
なお、本考案の風力選別装置は、上記実施形態に限定されるものではない。例えば、エアー吸引装置である吸引用フード２８の形態は、小さな吸引フードを複数個並べ、全体として第２コンベアの下側面を広く覆ってエアー吸引する構成にしてもよい。その場合、第１コンベアの移送面の幅方向の端部分に配置される吸引フードの吸引力を若干強めに設定しておけば、第２エアー吹出装置を削除することも可能である。また、ダクト３０及び大型の送風機２６を省略し、吸引用フード２８と一体に送風機２６に相当する専用のエアー発生装置を設けてもよい。
【００２８】
また、第１エアー吹出装置である第１吹出ノズル３２は、小さな吹出口の吹出ノズルを第２コンベア２０の下側面２４ａの幅方向に複数個並べてもよい。第２エアー吹出装置である一対の第２吹出ノズル３６についても同様に、小さな吹出口の吹出ノズルを第１コンベア２０の移送方向に複数個並べてもよい。さらに、この第１エアー吹出装置及び第２エアー吹出装置は、吸引用のエアー発生装置とは別に設けられていても良い。また、ダクト３４，３８及び大型の送風機２６を省略し、第１及び第２吹出ノズル３２，３６と一体に送風機２６に相当する専用のエアー発生装置を個別に設けてもよい。
【００２９】
また、第１コンベア１台に対して複数の第２コンベア等を設けてもよい。例えば、図１において、ストックヤード４０の上方にも新たな第２コンベア等を設けることによって、廃棄物Ｗ１よりもさらに小型軽量の廃棄物をストックヤード４０に選別回収する風力選別装置を構成することができる。また、第２コンベアが回収して下側面から脱落した廃棄物を新たな第１コンベアで受け、さらに新たな第２コンベア等を設けて再選別する構成にすることも可能である。このように各装置の組み合わせを変更・拡張することによって、様々な混合廃棄物の形態に合わせ、最適な選別システムを自在に構成することができる。
【符号の説明】
【００３０】
１０  風力選別装置
１２，１４，４０  ストックヤード
１６  第１コンベア
１８  移送面
１８ａ  搬入端
１８ｂ  排出端
２０  第２コンベア
２２ａ，２２ｂ  スプロケット
２４  無端ベルト
２４ａ  下側面
２４ｂ  上側面
２６  送風機
２８  吸引用フード
３０，３４，３８  ダクト
３２  第１吹出ノズル
３６  第２吹出ノズル
Ｗ，Ｗ１，Ｗ２  産業廃棄物
【図１】
0003161884.tif 000003
【図２】
0003161884.tif 000004
【図３】
0003161884.tif 000005